(57)【特許請求の範囲】
【請求項１】
本体両側に仮想咬合平面記録具、本体正面にアイポインツチェッカーを備えたフェイス・ボウと、該フェイス・ボウの仮想咬合平面記録具の記録を再現させる歯列模型調整板を前後、左右に回動可能に且つ上下に移動可能に支持した咬合分析装置とを、咬合器に取り付け、フェイス・ボウ・トランスファーによる下顎運動を再現させる装置であって、該アイポインツチェッカーで記録した瞳孔線を再現させるもので、瞳孔線表示部を回動可能に支持したアイポインツパラレルチェッカーを、該咬合器のインサイザルピンと、該咬合分析装置の該歯列模型調整板の前方部のいずれかに備えたことを特徴とする仮想咬合平面再現装置。
【発明の詳細な説明】
【０００１】
【発明の属する技術分野】
本発明は、フェイス・ボウ・トランスファーによる歯列模型の咬合器への装着に際し、口腔内と顔貌の位置関係を忠実に再現するための装置及びその方法に関するものである。
【０００２】
【従来の技術】
有歯顎、無歯顎を問わず補綴物を間接的に製作したり、口腔内の診断、治療計画を立てる場合に咬合器が用いられている。咬合器は、ヒトの頭蓋の下半分の動きを機械的に再現するための器械であり、上下顎歯列模型を生体と同じ位置関係に固定して下顎運動を再現させることができる。
【０００３】
このため、咬合器には口腔内と同じ位置関係で上顎歯列模型を装着する必要があり、フェイス・ボウ・トランスファーを行うことが必要不可欠な作業となる。フェイス・ボウ・トランスファーには、ヒンジボウとシンプルボウがあり、日常の臨床においてはシンプルボウが広く利用されている。シンプルボウは、生体の左右の顎関節と上顎の歯列、又はろう堤を用いて上顎の顎堤の位置関係を計測するもので、これを咬合器にセットすることで、該咬合器上に口腔内と同じ位置関係で上顎の歯列模型をマウントする器具である。
【０００４】
シンプルボウ等を用いたフェイス・ボウ・トランスファーにより、顔面に設定した前方基準点と後方基準点より上顎の立体的な位置関係を咬合器上に再現することができ、術式も容易となる。
【０００５】
【発明が解決しようとする課題】
上下顎歯列の構築にあたっては、咬合が最も肝要であるが、審美性も重要な役割を果たすことが知られている。ところが、従来のシンプルボウ等を用いたフェイス・ボウ・トランスファーにおいては、単に上顎歯列模型を咬合器上に口腔内と同じ位置関係で装着できるように咬合器上に再現するだけであり、審美性についての情報はほとんど取得できないのが実情であった。つまり、大部分の人が瞳孔線と前歯部が平行となっていない状況に関わらず、従来のフェイス・ボウ・トランスファーではこれを反映することができない問題がある。このため、咬合器上で製作した補綴物や義歯は、正中が微妙にずれたり、咬合平面が傾いたりして審美性が損なわれるのみならず、種々のトラブルが生じる原因となっていた。
【０００６】
また、従来のシンプルボウ等によるフェイス・ボウ・トランスファーでは、前述した前方基準点及び後方基準点により咬合器上に上顎の立体的な位置関係の再現に際し、正中を合わせることができるものの、上述した瞳孔線の他、仮想咬合平面を記録して表示することができず、無歯顎の咬合に必要な情報が充分得られない問題が生じていた。仮想咬合平面は、いわゆるカンペル平面と呼ばれるもので、鼻翼下縁と耳珠の上縁とを結ぶ直線、即ち鼻聴道線で決定される平面であり、総義歯の咬合平面に利用されている。
【０００７】
シンプルボウを患者の顔面に装着する際の基準となる前方基準点の設定には種々の方法が採られている。例えば、右側中切歯或いは側切歯から内眼角に向かって上方４３mmの右側鼻根部に前方基準点を設定し、外耳道を後方基準点としてシンプルボウ等の装着基準としている。従来より前方基準点の設定には、これを患者の顔面にマーキングするため、例えば右側中切歯の切縁より４３mmの位置に前方基準点指示部を設けた定規が利用されている。ところが、従来の定規では単に４３mmの位置に前方基準点指示部が設けられているに過ぎず、内眼角に向かう方向が定かでなく大きな誤差が生じる欠点があった。また、仮想咬合平面をマーキングする際にも、鼻翼下縁と耳珠の上縁に見当を付け直定規をあてがって行われていたが、誤差が大きく正確な仮想咬合平面が得られない問題があった。
【０００８】
【課題を解決するための手段】
そこで本発明者は上記問題に鑑み鋭意研究の結果、本発明を成し得たものであり、その特徴とするところは、物の発明にあっては、下顎運動を再現させる咬合器に取り付けるものであって、前後、左右に回動可能に支持され且つ上下に移動可能な歯列模型調整板を備えたことを特徴とする咬合分析装置。
【０００９】
或いは、下顎運動を再現させるフェイス・ボウ・トランスファーに用いるものであって、本体両側に仮想咬合平面記録具を備えたこと。下顎運動を再現させるフェイス・ボウ・トランスファーに用いるものであって、本体正面にアイポインツチェッカーを備えたこと。若しくは、下顎運動を再現させるフェイス・ボウ・トランスファーに用いるものであって、棒状体を回動可能に支持した正中線記録具を備えたことを特徴とするフェイス・ボウ。
【００１０】
或いは、フェイス・ボウ・トランスファーに際して患者の顔面に前方基準点をマーキングする定規であって、定規本体は、該前方基準点をマーキングする前方基準点指示部からさらに延長部を設けたことを特徴とするリファレンスマーカー。
【００１１】
或いは、フェイス・ボウの正面に設けたアイポインツチェッカーで記録した瞳孔線を再現させるもので、瞳孔線表示部と、該瞳孔線表示部を回動可能に支持し下顎運動を再現させる咬合器のインサイザルピンに上下動可能に取り付ける支持部と、によって構成したことを特徴とするアイポインツパラレルチェッカー。
【００１２】
方法の発明にあっては、フェイス・ボウ・トランスファーにより顎関節と上顎の位置関係及び仮想咬合平面をフェイス・ボウに記録した後、前後、左右、上下に調整する歯列模型調整板を備えた咬合分析装置を取り付けた咬合器に該フェイス・ボウをセットし、該フェイス・ボウの仮想咬合平面の記録を、該咬合分析装置の歯列模型調整板に再現すること。或いは、フェイス・ボウ・トランスファーによりフェイス・ボウの正面に設けたアイポインツチェッカーで瞳孔線を記録した後、咬合器に該アイポインツチェッカーをセットし、該瞳孔線の記録を、該咬合器のインサイザルピンに設けたアイポインツパラレルチェッカーに再現すること。或いは、フェイス・ボウ・トランスファーによりフェイス・ボウに備えたもので棒状体を回動可能に支持した正中線記録具で正中線を記録した後、咬合器に該正中線記録具をセットし、該正中線の記録を上顎歯列模型にマーキングすることにある。
【００１３】
ここで、本明細書中でいう「歯列模型調整板」とは、咬合器に取り付けることによって、患者の仮想咬合平面を再現するものをいう。本発明に係る咬合分析装置においては、歯列模型調整板を前後左右に回動可能に支持し、上下に移動できるようにする。咬合分析装置は、通常咬合器の下弓に取り付け、歯列模型調整板によって上顎歯列模型の構築や診断などを行う際の基準にするが、逆に、咬合器の上弓に取り付けて下顎歯列模型の構築や診断を行うことも可能である。
【００１４】
歯列模型調整板は、例えばカメラなどの三脚に用いられている雲台のように前後左右に動かして固定する構造でもよいが、前後と左右の動きを独立させた構造でもよい。上下動については、歯列模型調整板を上下方向に移動可能に支持する他、咬合分析装置本体若しくはその一部を上下に移動させる構造としてもよい。また、左右や前後にスライドできるように支持することもでき、この場合も歯列模型調整板自体の他、咬合分析装置本体若しくはその一部をスライドさせるようにする。
【００１５】
歯列模型調整板は患者の仮想咬合平面の傾きを再現するものであるため、左右に分割して個別に前後に回動させて調整できるようにしておけば、患者の左右の仮想咬合平面の傾きをより正確に再現することができる。また、鉛直線を軸に回転できるようにしてもよく、この場合には歯列模型調整板を患者の正中線に合わせることができるなどの利点が生じる。さらに、歯列模型調整板の前後及び左右の傾きや回転位置などを数値化できるようにしておけば、咬合分析装置だけで再び再現したり、他の咬合分析装置で複数の患者のデータを再現することが可能となる。数値化する手段としては、例えば目盛りを設けたり、水準器の設置などによって行う。歯列模型調整板としては、平坦な板状体で形成する他、ウィルソンの湾曲に準じた形状にしてもよい。
【００１６】
本発明において咬合分析装置を取り付ける咬合器としては、いわゆる解剖学的咬合器である。これには調節機構により全調節性咬合器、半調節性咬合器、非調節性咬合器に分類され、関節部の構造によってアルコン型、コンダイラー型に分けられるが、本発明ではこれらの内のいずれのタイプでもよく、限定するものではない。
【００１７】
「仮想咬合平面記録具」とは、患者の顔面にマーキングした仮想咬合平面を記録するための装置である。この場合の記録は、患者の顔面の前方基準点と後方基準点を計測して咬合器上に再現させる、いわゆるフェイス・ボウ・トランスファーによって行う。このため、本発明に係るフェイス・ボウでは、フェイス・ボウ本体の両側に仮想咬合平面記録具を備えた構造としている。フェイス・ボウ・トランスファーによって仮想咬合平面記録具で記録した仮想咬合平面は、前述した咬合分析装置の歯列模型調整板に再現させる。
【００１８】
フェイス・ボウ本体としては、実際に後方基準点を測定して求めるヒンジボウと、平均的な位置で定めるシンプルボウに分けられる。本発明では、これら従来よりフェイス・ボウ・トランスファーに利用されているフェイス・ボウの本体両側に仮想咬合平面記録具を備えたものであればよい。仮想咬合平面記録具としては、例えば透明板を設けこれに患者の顔面のマーキングを書き写す構造や、回動及び上下動可能に記録部材を設けこれをマーキングに合わせて固定する構造などである。
【００１９】
「アイポインツチェッカー」とは、フェイス・ボウ本体の正面に取り付けることによって、該フェイス・ボウ本体を患者の顔面にセットした状態で該患者の瞳孔線に合わせて固定する部材をいう。このため、アイポインツチェッカーはフェイス・ボウ本体に上下動及び左右に回動可能に設けられる。一般的にアイポインツチェッカーを上下動させて瞳孔線に合わせるように調整する場合、該アイポインツチェッカーに軸を設け、該軸を上下動させるようにするが、このような場合にはアイポインツチェッカーが軸まわりに回転しないようにするのが好ましい。例えば、断面多角形など断面円形以外の軸を利用したり、断面円形の軸でも平面部や溝などを設けて対処することができる。
【００２０】
「正中線記録具」とは、フェイス・ボウ本体に設けることによって、患者の矢状面に線分を含ませるように移動させて記録する部材をいう。つまり、線分として棒状体などを回動可能に支持し、点ではなく線として記録させるものである。この正中線記録具を設ける位置は、特に限定するものではないが、フェイス・ボウ本体に装着するバイトフォークの前方部の中心に回動可能に設けるのが好ましい。また、ほとんどの人が瞳孔線と正中線が直交していることから、アイポインツチェッカーに設けられた縦軸を利用して、これを正中線記録具としてもよい。
【００２１】
「アイポインツパラレルチェッカー」は、アイポインツチェッカーによって記録された患者の瞳孔線を咬合器上に再現させることによって、歯列模型の構築等に反映させるものである。このアイポインツパラレルチェッカーは、咬合分析装置に設けた歯列模型調整板に並べて設ける場合と、咬合器のインサイザルピンに設ける場合がある。前者では、歯列模型調整板の前方部に瞳孔線表示部を左右に回動可能に設けるが、上下動できるようにしてもよい。後者では、咬合器のインサイザルピンに上下動可能に取り付ける支持部に瞳孔線表示部を回動可能に設けるようにする。この場合、インサイザルピンも断面多角形にしたり平面部や溝などを設けることで、支持部が軸まわりに回転しないようにすることができる。
【００２２】
「前方基準点指示部」とは、フェイス・ボウ・トランスファーにおいて、フェイス・ボウ本体を装着する際に使用する定規に設けたもので、患者の前方基準点をマーキングするために指し示す部分をいう。例えば、前方基準点指示部は右側中切歯或いは側切歯にあてがう部分から４３mmの位置に設けられる。本発明に係るリファレンスマーカーでは、前方基準点指示部からさらに延長部を設けている。この延長部は例えば内眼角を指し示すためのものであり、これを設けることにより、右側中切歯或いは側切歯から４３mmの位置をほとんど誤差なく確実に指示することができる。延長部としては、前方基準点指示部から約３０mm以上の長さがあればよい。また、前方基準点指示部は、咬合器メーカーによって前方基準点の設定位置が異なるため、移動できるようにしてもよい。この場合、目盛りを設けておくのが好ましい。
【００２３】
定規本体には、外耳道挿通部を設けてもよい。外耳道挿通部を設けてこれを外耳道に挿通することで、外耳道と鼻翼下縁を極めて容易に指し示すことができ、患者の顔面への仮想咬合平面のマーキングを簡単確実に行うことができる。本発明リファレンスマーカーとしては、患者にマーキングした後、高温で滅菌処理するのが好ましいため、定規本体や外耳道挿通部は、金属や耐熱性のプラスチックで形成するのが好ましい。
【００２４】
【発明の実施の形態】
以下、本発明を図面に示す発明の実施の形態に基づいて詳細に説明する。
【００２５】
図１は本発明に係る咬合分析装置１の実施の形態の一例を示すもので、前後左右に回動可能に支持し、上下に移動可能な歯列模型調整板１１を備えたものである。咬合分析装置１の歯列模型調整板１１は、患者の仮想咬合平面の傾きを再現するもので、図のように該咬合分析装置１を咬合器Ａの下弓に取り付けることにより、該咬合器Ａの上弓に取り付けた上顎歯列模型１２の構築や診断などを行うものである。
【００２６】
図２は本発明に係るフェイス・ボウ２の実施の形態の一例を示すもので、シンプルボウ本体２１の両側に仮想咬合平面記録具２２を設けたものである。この仮想咬合平面記録具２２は、上下及び回転可能に支持した記録部材２３を、患者の顔面にマーキングした仮想咬合平面を表す基準線に合わせて固定して記録する構造である。尚、本例ではシンプルボウ本体２１に透明板２８を設け、該透明板２８に沿って記録部材２３を移動させるようにしている。記録された患者の仮想咬合平面の傾きは、咬合器Ａにセットした咬合分析装置１の歯列模型調整板１１に再現させる。
【００２７】
本発明に係る咬合分析方法は、その方法を実施するに際し、従来の一般的なフェイス・ボウ・トランスファーの手順と同様に、図３（ａ）のように先ず患者の顔面に前方基準点４１をマーキングする。この場合、患者の仮想咬合平面の傾きを表す基準線４２もマーキングしておく。そして、同図（ｂ）のように本発明に係るフェイス・ボウ２をセットして、いわゆる上顎三角を決定した状態で、仮想咬合平面記録具２２で患者の顔面の両側にマーキングした仮想咬合平面の基準線４２を記録する。各情報が記録されたフェイス・ボウ２からトランスファーピン２４を外して咬合器Ａにセットし、バイトフォーク２５に合わせて上顎歯列模型１２を該咬合器Ａに石膏で取り付ける［同図（ｃ）］。
【００２８】
次に、石膏が固まってからバイトフォーク２５を外すと共に、上顎歯列模型１２を咬合器Ａから取り外し、同図（ｄ）に示すように咬合分析装置１を咬合器Ａの下弓に取り付ける。そして、該咬合器Ａにセットされているトランスファーピン２４にフェイス・ボウ２を再度取り付ける。この状態で、該フェイス・ボウ２の仮想咬合平面記録具２２で記録した仮想咬合平面の傾きを、咬合分析装置１の歯列模型調整板１１を調整して再現する。この場合、歯列模型調整板１１の調整は、記録部材２３で記録した箇所で行いにくいため、記録部材２３の下辺を目標にして行う。従って、本例では記録部材２３を上辺と下辺が平行な板状体で形成している。つまり、患者の顔面のマーキングを記録部材２３によって記録した記録を、咬合分析装置１を咬合器Ａにセットした歯列模型調整板１１による再現を行い易くするためである。本例では、記録板２３の高さを２０mmとしている。仮想咬合平面記録具２２として、透明板にマーカーなどで印記して記録する構造の場合には、例えばノギスなどを利用して記録線と平行な線を引くことで対応することができる。
【００２９】
歯列模型調整板１１に仮想咬合平面の傾きを再現した後は、上顎歯列模型１２を咬合器Ａに再度取り付け、該歯列模型調整板１１を上昇させて、図１のように該上顎歯列模型１２に沿わせて歯列の構築、補綴物の製作、削る等の診断に供する。歯列模型調整板１１の上昇位置の目安としては、例えば上顎歯列模型１２のハムラノッチから７mm下方で、第２大臼歯（最後臼歯）が歯列模型調整板１１と接する位置である。尚、本例では歯列模型１２を咬合器Ａから一旦取り外し、歯列模型調整板１１を調整してから再度取り付けているが、歯列模型１２を咬合器Ａに取り付けた状態で咬合分析装置１のセット及び歯列模型調整板１１の調整を行うことも可能である。
【００３０】
図４（ａ）は本発明に係るフェイス・ボウ２の他の例を示すもので、シンプルボウ本体２１の正面にアイポインツチェッカー２６を設けたものである。このアイポインツチェッカー２６は、平板２６１と軸２６２でＴ字状に形成したもので、該軸２６２をシンプルボウ本体２１のトランスファーピン２４に上下動及び回動可能に設ける。このフェイス・ボウ２は、同図（ｂ）のように患者の顔面にシンプルボウ本体２１をセットした段階で、該平板２６１を患者の瞳孔線に合わせて固定して記録する。本例では、平板２６１が軸２６２の軸まわりに回転しないように、軸２６２に平面部を設けている。このため、平板２６１を患者の顔と平行に調整するため、該平板２６１をネジ２６３で軸２６２に固定し、該ネジ２６３を緩めて調整できるようにしている。
【００３１】
フェイス・ボウ２に設けたアイポインツチェッカー２６で記録した患者の瞳孔線は、咬合器Ａ上に再現させる。このため、本発明に係るアイポインツパラレルチェッカーＡ１は、図５のように瞳孔線表示部Ａ１１と、該瞳孔線表示部Ａ１１を回動可能に支持する支持部Ａ１２とによって構成し、該支持部Ａ１２を咬合器ＡのインサイザルピンＡ２に上下動可能に設ける構造としている。再現方法は、アイポインツチェッカー２６を設けたトランスファーピン２４を咬合器Ａにセットし、平板２６１の傾きに合わせ瞳孔線表示部Ａ１１を調整して行う。
【００３２】
通常、咬合器ＡのインサイザルピンＡ２は断面が円形の棒状であることから、図のように一部に平面部Ａ１３を形成し、該支持部Ａ１２がインサイザルピンＡ２周りに回らない構造にするのが好ましい。このようにすれば、該瞳孔線表示部Ａ１１が咬合器Ａに対して常に平行に保持され、再現時の誤差を少なくすることができる。
【００３３】
記録された患者の瞳孔線を咬合器Ａ上に再現させる手段としては、アイポインツパラレルチェッカーＡ１をインサイザルピンＡ２に設ける他、図６（ａ）のように咬合分析装置１の歯列模型調整板１１にアイポインツパラレルチェッカーＡ１を並べて設けてもよい。尚、本例示した歯列模型調整板１１は、前後に分割した構造で、後ろ側を義歯の構築に効果的なウィルソンの湾曲に準じて湾曲させており、左右にスライド可能に設けている。アイポインツパラレルチェッカーＡ１の瞳孔線再現方法として、アイポインツチェッカー２６は平行移動しても傾きが変わらないため、同図（ｂ）のように上下逆に付け替え、アイポインツパラレルチェッカーＡ１の高さに合わせて行っている。
【００３４】
本発明に係る咬合分析方法の実施の形態の他の例として、アイポインツチェッカー２６で記録した患者の瞳孔線の再現は、アイポインツパラレルチェッカーＡ１が咬合器ＡのインサイザルピンＡ２に設けられている場合、図３（ｃ）の段階で行う。また、咬合分析装置１にアイポインツパラレルチェッカーＡ１が設けられている場合には、図３（ｄ）の咬合器Ａに該咬合分析装置１をセットした段階で行う。
【００３５】
図７は、本発明に係る咬合分析装置１の実施の形態の他の例を示すもので、歯列模型調整板１１を左右に分割することにより、左右個別に仮想咬合平面に合わせることができるようにしたものである。これにより、特に左右の仮想咬合平面の差が大きい患者に効果的に対応することが可能となる。本例の咬合分析装置１では、歯列模型調整板１１を垂直軸を軸として回転可能に設けており、該歯列模型調整板１１を正中線に合わせて回転させることができる。歯列模型調整板１１の回転は回転調整ネジ１４を緩めて行い、正中線に合わせて該回転調整ネジ１４を締め付けて固定する。本例のように歯列模型調整板１１の中央で左右に分割しているため、分割部を基準にすることで容易に正中線に合わせて調整することができる。また、本例ではスライド調整ネジ１５を緩めることで、歯列模型調整板１１を左右にスライドできるようにしている。
【００３６】
図８は、本発明に係るフェイス・ボウ２の他の例を示すもので、シンプルボウ本体２１に装着するバイトフォーク２５の前方部に、正中線記録具として正中線指示棒２７を回動可能に設けたものである。正中線指示棒２７で記録した患者の正中線は、図３（ｃ）の段階で上顎歯列模型１２にマーキングする。マーキングは線分で行うことで、患者の矢状面を表すことができる。
【００３７】
図９（ａ）は、本発明に係るリファレンスマーカー３の実施の形態の一例を示すもので、前方基準点をマーキングするための定規本体３４は、前方基準点指示部３１を上顎右側中切歯の切縁指示部３２から４３mmの位置に設け、該前方基準点指示部３１からさらに延長部３３を延出した構造である。この定規本体３４は、厚み０．５mmのステンレス板で形成したもので、幅１５mm、基部から８０mmに切縁指示部３２、該切縁指示部３２から４３mmの位置に長さ１mmの前方基準点指示部３１、該前方基準点指示部３１から４６mmの延長部３３を設けた全長１７０mmとしている。
【００３８】
リファレンスマーカー３による前方基準点のマーキング方法は、同図（ｂ）のように切縁指示部３２を患者の上顎右側中切歯の切縁に合わせ、延長部３３を内眼角上に位置させた状態で、前方基準点指示部３１が指し示す箇所にマーキングする。
【００３９】
同図（ｃ）は本発明に係るリファレンスマーカー３の実施の形態の他の例を示すもので、目盛りを設けた定規本体３４に前方基準点指示部３１を移動可能に設け、種々の咬合器Ａに対応できるようにしたものである。
【００４０】
同図（ｄ）は、本発明に係るリファレンスマーカー３の実施の形態のさらに他の例を示すもので、該定規本体３４の基部に該前方基準点指示部３１と反対側の側縁に直交する方向に突出させた外耳道挿通部３５を設けている。この外耳道挿通部３５は、仮想咬合平面をマーキングする際に使用するもので、これを患者の下耳道に挿通させることで、仮想咬合平面の基準となる外耳道の位置を保持するものである。本例では、外耳道挿通部３５は径をφ８mmとし、ポリプロピレンで形成している。また、仮想咬合平面は、鼻翼下縁と耳珠の上縁とを結ぶ直線、即ち鼻聴道線で決定される平面であり、カンペル平面と呼ばれているが、ギジー（Ｇｙｓｉ）によると鼻翼下縁と外耳道下縁とを結ぶ平面の方がより咬合平面と平行であることから、本例では、外耳道挿通部３５を設ける位置として、定規本体３４の側縁に接する箇所に設けている。このリファレンスマーカー３の使用状態は、同図（ｅ）のように外耳道挿通部３５を患者の外耳道に挿通して、延長部３３が鼻翼下縁を指す位置でマーキングすることによって、仮想咬合平面の傾きを表すことができる。
【００４１】
【発明の効果】
以上のように本発明に係る咬合分析装置やその分析方法によれば、患者の仮想咬合平面の傾きを咬合器に簡単確実に再現させることができ、無歯顎や咬合の再構築の治療を極めて効果的に行うことができる。また、前歯部を正中矢状面に合わせ瞳孔線と平行にすることで、審美性を加味することが可能となる。審美性を加味することは、顔貌に調和して見映えがよく、違和感がなくなるなどの美的な面で効果があるのみならず、噛み合わせも向上するなど義歯や補綴物の構築に有効となるなど極めて有益な効果を有するものである。
【００４２】
本発明に係るリファレンスマーカーは、前方基準点指示部よりさらに延長部を設けたことにより、該前方基準点指示部を指し示す方向を決定することができ、前方基準点のマーキングが極めて精度の高いものとなる。また、定規本体に外耳道挿通部を設けることにより、患者の仮想咬合平面の傾きのマーキングをより簡単確実に行うことが可能となる。
【図面の簡単な説明】
【図１】本発明に係る咬合分析装置の実施の形態の一例を示す側面図である。
【図２】本発明に係るフェイス・ボウの実施の形態の一例を示す側面図である。
【図３】本発明に係る咬合分析方法による手順の実施の形態の一例を示すもので、（ａ）は患者の顔面に前方基準点と仮想咬合平面の傾きをマーキングした側面図、（ｂ）は患者の顔面にフェイス・ボウを装着して仮想咬合平面の傾きを記録する状態を示す側面図、（ｃ）はフェイス・ボウのトランスファーピンを咬合器にセットして上顎歯列模型を取り付けた状態を示す側面図、（ｄ）は咬合器に咬合分析装置とフェイス・ボウをセットして仮想咬合平面の記録を歯列模型調整板に再現する状態を示す側面図である。
【図４】本発明に係るフェイス・ボウの他の例を示すもので、（ａ）はアイポインツチェッカーを設けたものを示す側面図、（ｂ）は（ａ）の使用状態を示す正面図である。
【図５】本発明に係るアイポインツパラレルチェッカーの実施の形態の一例を示す側面図である。
【図６】（ａ）は本発明に係る咬合分析装置の実施の形態の他の例を示す斜視図、（ｂ）は咬合器にセットしてアイポインツパラレルチェッカーで瞳孔線を再現する状態を示す正面図である。
【図７】本発明に係る咬合分析装置の実施の形態のさらに他の例を示す斜視図である。
【図８】バイトフォークの前方部に正中線記録具を設けたものを示す斜視図である。
【図９】（ａ）は本発明に係るリファレンスマーカーの実施の形態の一例を示す平面図、（ｂ）は（ａ）の使用状態を示す正面図、（ｃ）は本発明に係るリファレンスマーカーの実施の形態の他の例を示す平面図、（ｄ）は本発明に係るリファレンスマーカーの実施の形態のさらに他の例を示す斜視図、（ｅ）は（ｄ）の使用状態を示す側面図である。
【符号の説明】
１  咬合分析装置
１１  歯列模型調整板
１２  上顎歯列模型
１３  曲面板
１４  回転調整ネジ
１５  スライド調整ネジ
２  フェイス・ボウ
２１  シンプルボウ本体
２２  仮想咬合平面記録具
２３  記録部材
２４  トランスファーピン
２５  バイトフォーク
２６  アイポインツチェッカー
２６１  平板
２６２  軸
２６３  ネジ
２７  正中線指示棒
２８  透明板
３  リファレンスマーカー
３１  前方基準点指示部
３２  切縁指示部
３３  延長部
３４  定規本体
３５  外耳道挿通部
Ａ  咬合器
Ａ１  アイポインツパラレルチェッカー
Ａ１１  瞳孔線表示部
Ａ１２  支持部
Ａ１３  平面部
Ａ２  インサイザルピン
４１  前方基準点
４２  仮想咬合平面の基準線
【図１】
0004221209.tif 000002
【図２】
0004221209.tif 000003
【図３】
0004221209.tif 000004
【図４】
0004221209.tif 000005
【図５】
0004221209.tif 000006
【図６】
0004221209.tif 000007
【図７】
0004221209.tif 000008
【図８】
0004221209.tif 000009
【図９】
0004221209.tif 000010